(57)【要約】【課題】肌の状態が恒常的に健康状態に維持できる表皮代謝促進装置を提供すること。【解決手段】空気中の酸素を濃縮し高濃度の酸素を含有する空気を供給する酸素富化膜１と、該酸素富化膜１から供給された空気を加湿する加湿装置３と、該加湿装置３によって加湿された空気を吐出する吐出口４とを備えている。吐出される適度に加湿された空気を人体が吸入することにより、人体の自律神経系が安静化する。その結果、表皮の代謝活動が活発化するので、空気の吐出を止めた後も肌が健康的な状態に維持されるという効果がある。【選択図】図１
2005328871.tif 000002
【特許請求の範囲】
【請求項１】
空気中の酸素を濃縮し高濃度の酸素を含有する空気を供給する酸素濃縮手段と、該酸素濃縮手段から供給された空気を加湿する加湿手段と、該加湿手段によって加湿された空気を吐出する吐出口とを備えた表皮代謝促進装置。
【請求項２】
空気中の酸素を濃縮し高濃度の酸素を含有する空気を供給する酸素濃縮手段と、該酸素濃縮手段から供給された空気を温度調節する温度調整手段と、該温度調整手段によって温度調整された空気を吐出する吐出口とを備えた表皮代謝促進装置。
【請求項３】
空気中の酸素を濃縮し高濃度の酸素を含有する空気を供給する酸素濃縮手段と、該酸素濃縮手段から供給された空気を脱臭する脱臭手段と、該脱臭手段によって脱臭された空気を吐出する吐出口とを備えた表皮代謝促進装置。
【請求項４】
空気中の酸素を濃縮し高濃度の酸素を含有する空気を供給する酸素濃縮手段と、該酸素濃縮手段から供給された空気にマイナスイオンを添加するマイナスイオン発生手段と、該マイナスイオン発生手段によってマイナスイオンを添加さらた空気を吐出する吐出口とを備えた表皮代謝促進装置。
【発明の詳細な説明】
【技術分野】
【０００１】
本発明は、適度に湿度や温度などが調整された高濃度酸素ガスを吐出する表皮代謝促進装置に関し、更に詳しくは、本装置が吐出する空気を人体が吸引した場合に、人体の表皮代謝が促進される効果を備えた表皮代謝促進装置に関する。
【背景技術】
【０００２】
従来、人体の肌を健康的に保持するための装置としては、例えば特許文献１に記載されているようにスチームを肌に直接噴霧する方式が知られていた。この従来方式では、スチームを顔などの肌の表皮に直接噴霧して、表皮に水分を与えることにより肌を健康的な状態に保持しようとするものである。
【特許文献１】特許第３１４２８５９号公報
【発明の開示】
【発明が解決しようとする課題】
【０００３】
しかしながら、前記従来の手法では、スチームを直接表皮に噴霧するので表皮の水分含有量は一時的に速やかに向上する一方で、スチーム噴霧後は元の状態に戻りやすく、肌状態の恒常的な健康維持は困難であるという課題を有していた。
【０００４】
本発明は、前記従来の課題を解決するもので、適度に湿度や温度が調整された高濃度酸素ガスを人体に供給することにより、人体表皮の代謝活動が活発化し、半恒常的に表皮の健康維持が可能な表皮代謝促進装置を提供することを目的とする。
【課題を解決するための手段】
【０００５】
本発明は前記従来の課題を解決するもので、少なくとも酸素濃縮手段と、加湿手段と、吐出口とからなり、酸素濃縮手段は空気中の酸素を濃縮することにより高濃度の酸素を含有する空気を供給し、加湿手段は前記酸素濃縮手段から供給された空気を加湿することにより、加湿された高濃度の酸素を含有する空気を吐出口から供給する表皮代謝促進装置を備えたものである。本装置から供給される適度に加湿された空気を人体が吸入することにより、人体の自律神経系が安静化し、その結果、表皮の代謝活動が活発化するので、本装置から供給される空気の吸引を止めた後も肌が健康的な状態に維持されることとなり、装置の使用による一時的な肌状態の健常化ではなく、装置の使用後にも持続可能な肌状態の健常化を実現する装置が可能となる。
【発明の効果】
【０００６】
本発明の表皮代謝促進装置は、適度に加湿や温度調整がなされた高濃度酸素ガスを供給し、人体がその供給ガスを吸引することにより、人体の自律神経系が安静化するといういわゆるリラックス効果が得られ、そのことによって表皮の新陳代謝が活発化して装置の使用後も肌状態が健康的に維持されることとなる。
【発明を実施するための最良の形態】
【０００７】
第１の発明は、少なくとも酸素濃縮手段と加湿手段と吐出口とからなり、酸素濃縮手段は空気中の酸素を濃縮することにより高濃度の酸素を含有する空気を供給し、加湿手段は酸素濃縮手段が供給する空気を加湿することにより、加湿された高濃度の酸素を含有する空気を吐出口から供給する表皮代謝促進装置であり、本装置が供給する空気を人体が吸引することにより、高濃度酸素が有する人体へのリラックス効果のみならず適度な湿度を含んだ空気を吸引することによる人体の自律神経系の安静化が生じ、その結果として表皮の代謝が活発化して、装置使用後にも健康な肌状態が維持されることとなる。
【０００８】
第２の発明は、少なくとも酸素濃縮手段と温度調整手段と吐出口とからなり、酸素濃縮手段は空気中の酸素を濃縮することにより高濃度の酸素を含有する空気を供給し、温度調整手段は酸素濃縮手段が供給する空気を温度調整することにより、温度調整された高濃度の酸素を含有する空気を吐出口から供給する表皮代謝促進装置であり、本装置が供給する空気を人体が吸引することにより、高濃度酸素が有する人体へのリラックス効果のみならず適度な温度に調整された空気を吸引することによる人体の自律神経系の安静化が生じ、その結果として表皮の代謝が活発化して、装置使用後にも健康な肌状態が維持されることとなる。
【０００９】
第３の発明は、少なくとも酸素濃縮手段と脱臭手段と吐出口とからなり、酸素濃縮手段は空気中の酸素を濃縮することにより高濃度の酸素を含有する空気を供給し、脱臭手段は酸素濃縮手段が供給する空気を脱臭することにより、脱臭された高濃度の酸素を含有する空気を吐出口から供給する表皮代謝促進装置であり、本装置が供給する空気を人体が吸引することにより、高濃度酸素が有する人体へのリラックス効果のみならず脱臭された空気を吸引することによる人体の自律神経系の安静化が生じ、その結果として表皮の代謝が活発化して、装置使用後にも健康な肌状態が維持されることとなる。
【００１０】
第４の発明は、少なくとも酸素濃縮手段とマイナスイオン発生手段と吐出口とからなり、酸素濃縮手段は空気中の酸素を濃縮することにより高濃度の酸素を含有する空気を供給し、マイナスイオン発生手段は酸素濃縮手段が供給する空気にマイナスイオンを添加することにより、マイナスイオンを含んだ高濃度の酸素を含有する空気を吐出口から供給する表皮代謝促進装置であり、本装置が供給する空気を人体が吸引することにより、高濃度酸素が有する人体へのリラックス効果のみならずマイナスイオンが添加された空気を吸引することによる人体の自律神経系の安静化が生じ、その結果として表皮の代謝が活発化して、装置使用後にも健康な肌状態が維持されることとなる。
【００１１】
以下、本発明の実施の形態について、図面を参照しながら説明する。なお、この実施の形態によって本発明が限定されるものではない。
【００１２】
（実施の形態１）
図１は本発明の実施の形態１における表皮代謝促進装置の構成断面図である。窒素分子に比較して酸素分子の透過性が高い酸素富化膜１の下流側に真空ポンプ２を設けることにより、真空ポンプにより吸引され排出される空気は通常空気よりも高濃度な酸素を含むこととなる。真空ポンプの排気側には加湿装置３を設け、吐出口から排出する空気の湿度を調整できる構成となっている。
【００１３】
本実施の形態における表皮代謝促進装置を用いて人体表皮の代謝活動の変化を測定したので、以下その実験方法について述べる。
【００１４】
温湿度が２５℃×５０％ＲＨに調整された実験室を用意し、被験者をその環境に充分馴染ませた後に実験を開始した。実験では、被験者の上腕部内側のあらかじめマーキングした皮膚測定点の経皮水分喪失量（以下、ＴＥＷＬと略する）を測定した後に（本測定量をＴＥＷＬ初期値とする）、その皮膚測定点に市販のセロハンテープを貼付、剥離し、その２時間後に皮膚測定点のＴＥＷＬを再度測定し（本測定量をＴＥＷＬ比較値とする）、ＴＥＷＬ初期値をＴＥＷＬ比較値で除した値をＴＥＷＬ回復率として計算した。
【００１５】
なお、ＴＥＷＬとは、皮膚の単位面積、単位時間当たりに人体内部から皮膚を通過して蒸散する水分量であり、単位は通常ｇ／ｍ２・ｈを用いる。皮膚の表皮が厚いほど皮膚を通過して人体外部へ蒸散する水分量は少なくなるので、ＴＥＷＬは低い数値となる。また、セロハンテープを皮膚へ貼付、剥離した直後は、セロハンテープにより表皮が剥離され表皮の厚みが薄くなっているので、ＴＥＷＬは高い数値となる。そして、上記の実験の様にセロハンテープ貼付、剥離前後のＴＥＷＬ回復値を測定することにより、皮膚の代謝速度が測定されることとなる。つまり、セロハンテープ貼付、剥離の一定時間後のＴＥＷＬ回復率が１に近いほど、皮膚の新陳代謝が活発で、表皮の代謝活動が促進されていることになる。
【００１６】
本実験では、表皮代謝促進装置の吐出部４から供給される空気を、酸素濃度４０％、流量４Ｌ／ｍｉｎ、湿度７０％ＲＨに調整し、吐出部４から５ｍｍの位置が被験者の鼻部位となるよう装置を設置した。なお比較実験として、加湿装置３を動作させない条件でも同様の実験を行い被験者の皮膚測定点のＴＥＷＬ回復率を測定した。
【００１７】
上述の実験を行った結果、セロハンテープ貼付、剥離２時間後のＴＥＷＬ回復率は０．８４であり、加湿装置３を動作させない比較実験でのＴＥＷＬ回復率は０．７２であった。本結果から、本実施の形態の表皮代謝促進装置から供給される空気を吸引した場合、表皮の代謝速度が向上すること、つまり表皮の代謝が促進され、肌状態が健康に維持されることを確認した。
【００１８】
（実施の形態２）
本実施の形態２では、実施の形態１での加湿装置３の変わりにヒーターを配置した以外は装置構成は同一である。
【００１９】
実施の形態１と同様に、本実施の形態における表皮代謝促進装置を用いて人体表皮の代謝活動の変化を測定した。
【００２０】
本実験では、表皮代謝促進装置の吐出部４から供給される空気を、酸素濃度４０％、流量４Ｌ／ｍｉｎ、温度３０℃に調整し、吐出部４から５ｍｍの位置が被験者の鼻部位となるよう装置を設置した。なお比較実験として、ヒーターを動作させない条件でも同様の実験を行い被験者の皮膚測定点のＴＥＷＬ回復率を測定した。
【００２１】
上述の実験を行った結果、セロハンテープ貼付、剥離２時間後のＴＥＷＬ回復率は０．８７であり、ヒーターを動作させない比較実験でのＴＥＷＬ回復率は０．６９であった。本結果から、本実施の形態の表皮代謝促進装置から供給される空気を吸引した場合、表皮の代謝速度が向上すること、つまり表皮の代謝が促進され、肌状態が健康に維持されることを確認した。
【００２２】
（実施の形態３）
図２は本発明の実施の形態３における表皮代謝促進装置の構成断面図である。実施の形態１と同一の酸素富化膜５、真空ポンプ６、吐出口７を設ける以外に、真空ポンプ６の下流側でかつ吐出口７の上流側に活性炭を充填した脱臭カラム８を設け、吐出部７から供給される空気を脱臭した。
【００２３】
実施の形態１と同様に、本実施の形態における表皮代謝促進装置を用いて人体表皮の代謝活動の変化を測定した。
【００２４】
本実験では、表皮代謝促進装置の吐出部７から供給される空気を、酸素濃度４０％、流量４Ｌ／ｍｉｎに調整し、吐出部７から５ｍｍの位置が被験者の鼻部位となるよう装置を設置した。なお比較実験として、脱臭カラム８に活性炭を充填しない条件でも同様の実験を行い被験者の皮膚測定点のＴＥＷＬ回復率を測定した。
【００２５】
上述の実験を行った結果、セロハンテープ貼付、剥離２時間後のＴＥＷＬ回復率は０．７９であり、脱臭カラム８に活性炭を充填しない比較実験でのＴＥＷＬ回復率は０．７２であった。本結果から、本実施の形態の表皮代謝促進装置から供給される空気を吸引した場合、表皮の代謝速度が向上すること、つまり表皮の代謝が促進され、肌状態が健康に維持されることを確認した。
【００２６】
（実施の形態４）
図３は本発明の実施の形態４における表皮代謝促進装置の構成断面図である。実施の形態１と同一の酸素富化膜９、真空ポンプ１０、吐出口１１を設ける以外に、真空ポンプ６の下流側でかつ吐出口７の上流側にマイナスイオン発生装置１２を設け、吐出部１１から供給される空気にマイナスイオンを添加した。
【００２７】
マイナスイオン発生装置１２は放電現象を利用した市販品で、約５０万個／ｃｃのマイナスイオンが発生する。
【００２８】
実施の形態１と同様に、本実施の形態における表皮代謝促進装置を用いて人体表皮の代謝活動の変化を測定した。
【００２９】
本実験では、表皮代謝促進装置の吐出部１１から供給される空気を、酸素濃度４０％、流量４Ｌ／ｍｉｎに調整し、吐出部７から５ｍｍの位置が被験者の鼻部位となるよう装置を設置した。また、吐出部から発生するマイナスイオン量を測定したところ約５０万個／ｃｃであった。なお比較実験として、マイナスイオン発生装置を動作させない条件でも同様の実験を行い被験者の皮膚測定点のＴＥＷＬ回復率を測定した。
【００３０】
上述の実験を行った結果、セロハンテープ貼付、剥離２時間後のＴＥＷＬ回復率は０．８５であり、マイナスイオン発生装置を動作させない比較実験でのＴＥＷＬ回復率は０．７１であった。本結果から、本実施の形態の表皮代謝促進装置から供給される空気を吸引した場合、表皮の代謝速度が向上すること、つまり表皮の代謝が促進され、肌状態が健康に維持されることを確認した。
【産業上の利用可能性】
【００３１】
以上のように、本発明にかかる表皮代謝促進装置は、装置単体で使用する用途以外にも、空気清浄機やエアコンなどの空気質改善装置に取り付ける用途にも適用できる。
【図面の簡単な説明】
【００３２】
【図１】本発明の実施の形態１における表皮代謝促進装置の構成を示す断面図
【図２】本発明の実施の形態３における表皮代謝促進装置の構成を示す断面図
【図３】本発明の実施の形態４における表皮代謝促進装置の構成を示す断面図
【符号の説明】
【００３３】
１、５、９  酸素富化膜
２、６、１０  真空ポンプ
３  加湿装置
４、７、１１  吐出口
８  脱臭カラム
１２  マイナスイオン発生装置
【図１】
2005328871.tif 000003
【図２】
2005328871.tif 000004
【図３】
2005328871.tif 000005